【手続補正書】
【提出日】平成28年2月10日(2016.2.10)
【手続補正１】
【補正対象書類名】明細書
【補正対象項目名】００３０
【補正方法】変更
【補正の内容】
【００３０】
＜１．第１の実施の形態＞
＜コミュニケーションデバイス＞
図１は、本技術を適用したコミュニケーションデバイスの筐体の主な構成例を示す外観図である。
【手続補正２】
【補正対象書類名】明細書
【補正対象項目名】００４５
【補正方法】変更
【補正の内容】
【００４５】
＜ユースケース１＞
次に、このコミュニケーションデバイス１００の使用例を説明する。上述したように、コミュニケーションデバイス１００は、ユーザの首からぶら下げた状態で使用することができる。この場合、コミュニケーションデバイス１００の正面は、ユーザと対向せず、例えば、図２に示されるように、ユーザと同じ方向を向くことになる。
【手続補正３】
【補正対象書類名】明細書
【補正対象項目名】００５５
【補正方法】変更
【補正の内容】
【００５５】
＜通信＞
上述したように、コミュニケーションデバイス１００は、他の通信装置と通信を行う。この通信の方法は任意である。例えば図５Ａのように、コミュニケーションデバイス１００−１とコミュニケーションデバイス１００−２とが無線通信により互いに直接通信を行うようにしてもよい。この無線通信は、例えば、IEEE（Institute of Electrical and Electronic Engineers）802.11無線LAN（Local Area Network）のアドホックモード、IrDA（InfraRed Data Association）のような赤外線等の光通信、またはBluetooth（登録商標）等の所定の規格に準拠する方法であっても良いし、独自の無線通信方式であってもよい。
【手続補正４】
【補正対象書類名】明細書
【補正対象項目名】００９９
【補正方法】変更
【補正の内容】
【００９９】
最初にユーザＡがコミュニケーションデバイス１００に対して何らかの情報入力操作を行う。例えば、図１１Ａに示されるように、ユーザＡがコミュニケーションデバイス１００に向かって「今日、どうしよう・・・」と話しかけるとする。なお、この情報入力操作は、コミュニケーションデバイス１００が受け付け可能なものであれば、どのようなものであってもよく、例えば、ジェスチャ動作、タッチパネル操作、ボタン操作等、音声以外の情報入力操作であってもよい。例えば、コミュニケーションデバイス１００は、音声入力であればマイクロホン１０３等により受け付けることができ、ジェスチャ動作であればカメラ１０２等により受け付けることができ、タッチパネル操作であればタッチパネル等により受け付けることができ、ボタン操作であれば入力ボタン等により受け付けることができる。
【手続補正５】
【補正対象書類名】明細書
【補正対象項目名】０１００
【補正方法】変更
【補正の内容】
【０１００】
コミュニケーションデバイス１００は、ユーザ入力を受け付けると、そのユーザ入力を解析し、非生コミュニケーション開始の合図（若しくは指示）であるか否かを判定する。例えば、コミュニケーションデバイス１００は、上述したような音声入力をマイクロホン１０３において受け付けると、その音声データを解析し、コミュニケーションデバイス１００に対する話しかけであるか否かを判定する。話しかけ、すなわち、コミュニケーション開始の合図（若しくは指示）であると判定すると、コミュニケーションデバイス１００は、予め登録されている停止状態のパーソナルを起動し動作状態とする。コミュニケーションデバイス１００は、その動作状態のパーソナルによるユーザ入力に対する応答を生成し、出力する。例えば、図１１Ａのように、コミュニケーションデバイス１００は、ユーザＡの話しかけに対する応答として、パーソナルのアバタ画像をディスプレイ１０１に表示し、返事となる音声をスピーカ１０４より出力する。
【手続補正６】
【補正対象書類名】明細書
【補正対象項目名】０１０１
【補正方法】変更
【補正の内容】
【０１０１】
図１１Ａに示されるように、コミュニケーションデバイス１００には、パーソナルを複数登録することができ、ユーザ入力に対して、各パーソナルの応答を行うことができる。
【手続補正７】
【補正対象書類名】明細書
【補正対象項目名】０１０２
【補正方法】変更
【補正の内容】
【０１０２】
図１１Ａの例の場合、コミュニケーションデバイス１００は、「今日、どうしよう・・・」という話しかけに対して、アバタ画像２０１−１乃至アバタ画像２０１−５がディスプレイ１０１に表示され、各アバタ画像のパーソナルによる「何？」、「何？どうした？」、「遊ぼう！」、「でかけようか？」、「何何？」等といった返事（音声）をスピーカ１０４から出力する。
【手続補正８】
【補正対象書類名】明細書
【補正対象項目名】０１０３
【補正方法】変更
【補正の内容】
【０１０３】
そして、例えばユーザＡがディスプレイ１０１に表示されたアバタ画像２０１−１乃至２０１−５の中から所望のアバタ画像を選択すると、図１１Ｂに示されるように、そのアバタ画像２０１がディスプレイ１０１全体に表示され、そのアバタ画像のパーソナルがユーザＡのコミュニケーション相手として選択される。つまり、そのパーソナルのみが起動状態を保ち、その他のパーソナルは動作を終了する。
【手続補正９】
【補正対象書類名】明細書
【補正対象項目名】０１０４
【補正方法】変更
【補正の内容】
【０１０４】
図１１Ｂの例においては、コミュニケーションデバイス１００は、選択されたアバタ画像２０１のパーソナルによる、自身が選択されたことに対して「オレ？」という応答（音声）を生成し、スピーカ１０４から出力する。
【手続補正１０】
【補正対象書類名】明細書
【補正対象項目名】０１１２
【補正方法】変更
【補正の内容】
【０１１２】
また、以上のような非生コミュニケーションの内容を示す情報（以下、非生情報若しくは第１の情報とも称する）を、パーソナルの提供元に提供するようにしてもよい。この非生情報は、非生コミュニケーションの内容を示すものであればどのようなものであってもよい。例えば、非生情報（第１の情報）が、非生コミュニケーションのログ（例えば、音声やその音声をテキスト化したもの）であってもよいし、ログの要約（サマライズ）であってもよいし、例えば色、濃度、模様、図形、文字、若しくは記号等によって、ログの内容を抽象的に表すものであってもよい。
【手続補正１１】
【補正対象書類名】明細書
【補正対象項目名】０１４４
【補正方法】変更
【補正の内容】
【０１４４】
＜パーソナル提供処理＞
自身のパーソナルが他の装置から要求された場合、パーソナル提供部２５３は、パーソナル提供処理を実行する。図１５のフローチャートを参照して、このパーソナル提供処理の流れの例を説明する。
【手続補正１２】
【補正対象書類名】明細書
【補正対象項目名】０１７２
【補正方法】変更
【補正の内容】
【０１７２】
なお、この非生情報提供処理は、どのようなタイミングにおいて実行されるようにしてもよい。例えば、非生情報提供処理が、図１８の非生コミュニケーション処理と並行して実行されるようにし、非生コミュニケーション処理のログから得られた非生情報が、その非生コミュニケーション中に提供されるようにしてもよい。また、非生コミュニケーション処理の終了後、所定のタイミングにおいて非生情報提供処理が実行され、その非生コミュニケーションのログから非生情報が生成されて提供されるようにしてもよい。
【手続補正１３】
【補正対象書類名】明細書
【補正対象項目名】０２４２
【補正方法】変更
【補正の内容】
【０２４２】
ステップＳ３５７において、接続部３５３は、生コミュニケーションの接続を確立する。ステップＳ３５７の処理が終了すると、呼び出し応答処理が終了する。
【手続補正１４】
【補正対象書類名】特許請求の範囲
【補正対象項目名】全文
【補正方法】変更
【補正の内容】
【特許請求の範囲】
【請求項１】
ユーザの入力を受け付ける入力部により受け付けられた該ユーザ入力に対する仮想的な通信相手による応答を生成し、前記応答を画像または音声を出力する出力部より出力することにより、ユーザと前記仮想的な通信相手とのコミュニケーションである第１のコミュニケーションを実現する第１のコミュニケーション部と、
前記第１のコミュニケーション部により前記第１のコミュニケーションが実現されている間に、他の装置と通信を行う通信部を制御し、前記仮想的な通信相手に関連付けられた現実の通信相手の通信装置に対して前記現実の通信相手を呼び出すための呼び出し処理を行う呼び出し処理部と、
前記通信部を制御して、前記入力部により受け付けられた前記ユーザ入力を、前記呼び出し処理部による前記呼び出し処理に応答した前記現実の通信相手の通信装置に供給し、前記現実の通信相手の通信装置から前記ユーザ入力に対する応答を取得し、前記応答を前記出力部より出力することにより、ユーザと前記現実の通信相手とのコミュニケーションである第２のコミュニケーションを実現する第２のコミュニケーション部と
を備える通信装置。
【請求項２】
前記呼び出し処理部は、前記第１のコミュニケーションの開始とともに、前記呼び出し処理を開始する
請求項１に記載の通信装置。
【請求項３】
前記第１のコミュニケーションの内容を評価し、前記呼び出し処理を行うか否かを判定する評価判定部をさらに備え、
前記呼び出し処理部は、前記評価判定部により前記呼び出し処理を行うと判定された場合、前記呼び出し処理を開始する
請求項１または請求項２に記載の通信装置。
【請求項４】
前記評価判定部は、前記入力部により受け付けられた前記ユーザの音声のトーンを分析し、評価する
請求項３に記載の通信装置。
【請求項５】
前記評価判定部は、前記音声のトーンが普段の会話の音声のトーンの範囲内であるか否かを評価し、前記音声のトーンが前記範囲外である場合、前記呼び出し処理を行うと判定する
請求項４に記載の通信装置。
【請求項６】
前記評価判定部は、前記入力部により受け付けられた前記ユーザの音声のキーワードを分析し、評価する
請求項３乃至請求項５のいずれかに記載の通信装置。
【請求項７】
前記評価判定部は、前記ユーザの音声に、所定のネガティブなキーワードが含まれるか否かを評価し、前記ネガティブなキーワードが含まれる場合、前記呼び出し処理を行うと判定する
請求項６に記載の通信装置。
【請求項８】
前記評価判定部は、前記入力部により受け付けられた画像を分析し、評価する
請求項３乃至請求項７のいずれかに記載の通信装置。
【請求項９】
前記評価判定部は、前記画像に前記ユーザの顔が含まれている場合、前記ユーザの表情が普段の範囲内であるか否かを評価し、前記ユーザの表情が前記範囲外であるとき、前記呼び出し処理を行うと判定する
請求項８に記載の通信装置。
【請求項１０】
前記評価判定部は、前記画像に前記ユーザの顔の周辺が含まれている場合、前記周辺の画像が変化したか否かを評価し、前記ユーザの顔周辺の画像が変化したとき、前記呼び出し処理を行うと判定する
請求項８または請求項９に記載の通信装置。
【請求項１１】
前記評価判定部は、前記入力部により受け付けられた前記通信装置自身の動きを分析し、評価する
請求項３乃至請求項１０のいずれかに記載の通信装置。
【請求項１２】
前記評価判定部は、前記通信装置に対して所定の基準以上の振動や圧力が加えられたか否かを評価し、前記基準以上の振動や圧力が加えられた場合、前記呼び出し処理を行うと判定する
請求項１１に記載の通信装置。
【請求項１３】
前記第１のコミュニケーション部は、前記第２のコミュニケーションの終了とともに、前記第１のコミュニケーションを開始する
請求項１乃至請求項１２のいずれかに記載の通信装置。
【請求項１４】
前記通信部を制御して、前記第１のコミュニケーション部により実現される前記第１のコミュニケーションの内容を示す第１の情報を、前記仮想的な通信相手に関連付けられた現実の通信相手の通信装置に対して供給する第１の情報供給部をさらに備える
請求項１乃至請求項１３のいずれかに記載の通信装置。
【請求項１５】
前記第１の情報は、前記第１のコミュニケーションのログ、若しくは前記ログの要約である
請求項１４に記載の通信装置。
【請求項１６】
前記第１の情報は、前記第１のコミュニケーションの内容を示す色、濃度、模様、図形、文字、若しくは記号である
請求項１４または請求項１５に記載の通信装置。
【請求項１７】
前記仮想的な通信相手の設定情報を記憶する記憶部をさらに備え、
前記第１のコミュニケーション部は、前記記憶部に記憶される前記設定情報を用いて、前記入力部により受け付けられた前記ユーザ入力に対する仮想的な通信相手による応答を生成し、前記第１のコミュニケーションを実現する
請求項１乃至請求項１６のいずれかに記載の通信装置。
【請求項１８】
他の装置から前記設定情報を取得する設定情報取得部をさらに備え、
前記記憶部は、前記設定情報取得部により取得された前記設定情報を記憶する
請求項１７に記載の通信装置。
【請求項１９】
受け付けられたユーザ入力に対する仮想的な通信相手による応答を生成し、前記応答を出力することにより、ユーザと前記仮想的な通信相手とのコミュニケーションである第１のコミュニケーションを実現し、
前記第１のコミュニケーションが実現されている間に、前記仮想的な通信相手に関連付けられた現実の通信相手の通信装置に対して前記現実の通信相手を呼び出すための呼び出し処理を行い、
受け付けられた前記ユーザ入力を、前記呼び出し処理に応答した前記現実の通信相手の通信装置に供給し、前記現実の通信相手の通信装置から前記ユーザ入力に対する応答を取得し、前記応答を出力することにより、ユーザと前記現実の通信相手とのコミュニケーションである第２のコミュニケーションを実現する
通信方法。
【請求項２０】
コンピュータを、
ユーザの入力を受け付ける入力部により受け付けられた該ユーザ入力に対する仮想的な通信相手による応答を生成し、前記応答を画像または音声を出力する出力部より出力することにより、ユーザと前記仮想的な通信相手とのコミュニケーションである第１のコミュニケーションを実現する第１のコミュニケーション部と、
前記第１のコミュニケーション部により前記第１のコミュニケーションが実現されている間に、他の装置と通信を行う通信部を制御し、前記仮想的な通信相手に関連付けられた現実の通信相手の通信装置に対して前記現実の通信相手を呼び出すための呼び出し処理を行う呼び出し処理部と、
前記通信部を制御して、前記入力部により受け付けられた前記ユーザ入力を、前記呼び出し処理部による前記呼び出し処理に応答した前記現実の通信相手の通信装置に供給し、前記現実の通信相手の通信装置から前記ユーザ入力に対する応答を取得し、前記応答を前記出力部より出力することにより、ユーザと前記現実の通信相手とのコミュニケーションである第２のコミュニケーションを実現する第２のコミュニケーション部と
して機能させるプログラム。
【手続補正１５】
【補正対象書類名】図面
【補正対象項目名】図１０
【補正方法】変更
【補正の内容】
【図１０】
2015186199.tif 000001